(57)【要約】      （修正有）【課題】携帯性にすぐれ、環境にやさしい伸縮再生紙箸を提供する。【解決手段】伸縮再生紙箸は、主に２つの上側チューブ２及び２つの下側チューブ３を備え、２つの下側チューブは２つの上側チューブの収容空間内にそれぞれ設置される。使用時には、下側チューブを上側チューブの収容空間内から引っ張り出し、下側チューブの凸部を上側チューブの凹部に係合する。これにより、２つの上側チューブを握って２つの下側チューブを操作し、食べ物を挟持することで食事を行うことができる。【選択図】図２
0003227765.tif 000002
【実用新案登録請求の範囲】
【請求項１】
収容空間を共に有し、主に防水層により被覆される構造層で構成する２つの上側チューブと、
２つの上側チューブの収容空間内に各々設置し、主に防水層により被覆される構造層で構成し、中空部を共に有する２つの下側チューブと、を備えることを特徴とする、
伸縮再生紙箸。
【請求項２】
前記上側チューブは上から下にかけて漸縮する形態を呈することを特徴とする請求項１に記載の伸縮再生紙箸。
【請求項３】
前記上側チューブの構造層は紙材質であることを特徴とする請求項１に記載の伸縮再生紙箸。
【請求項４】
前記上側チューブの収容空間下方の末端には少なくとも１つの凹部を形成することを特徴とする請求項１に記載の伸縮再生紙箸。
【請求項５】
前記下側チューブは上から下にかけて漸縮する形態を呈することを特徴とする請求項１に記載の伸縮再生紙箸。
【請求項６】
前記下側チューブの構造層は紙材質であることを特徴とする請求項１に記載の伸縮再生紙箸。
【請求項７】
前記下側チューブの上方の末端の外面には少なくとも１つの凸部を形成することを特徴とする請求項１に記載の伸縮再生紙箸。
【考案の詳細な説明】
【技術分野】
【０００１】
本考案は、伸縮可能である紙製の再生箸の構造に関する。
【背景技術】
【０００２】
再生箸の多くはプラスチックやステンレス材質で製造されているため、長期間繰り返し使用可能である。
【考案の概要】
【考案が解決しようとする課題】
【０００３】
しかしながら、このような再生箸はプラスチックやステンレス材質の中実構造で製成され、且つ長さが固定される形態であるため、往々にして重量及び長さが制限され、消費者が携帯するのに不便であった。また、プラスチックやステンレス材質で製造されているため繰り返し使用可能であるが、プラスチックやステンレスは分解されないという環境に悪い材質であるため、廃棄すると環境を汚染してしまうという問題があった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、伸縮再生紙箸を提供することを主目的とする。
【課題を解決するための手段】
【０００６】
上記目的を達成するための主たる考案は、収容空間を共に有し、主に防水層により被覆される構造層で構成する２つの上側チューブと、２つの上側チューブの収容空間内に各々設置し、主に防水層により被覆される構造層で構成し、中空部を共に有する２つの下側チューブと、を備えていることを特徴とする伸縮再生紙箸である。
【０００７】
使用時には、主に下側チューブを上側チューブの収容空間内から引っ張り出し、下側チューブの凸部を上側チューブの凹部に係合する。これにより、使用者が２つの上側チューブを握って２つの下側チューブを操作し、食べ物を挟持することで食事を行う目的を達成する。
【０００８】
本明細書及び図面の記載により、少なくとも、以下の事項が明らかとなる。
【図面の簡単な説明】
【０００９】
【図１】本考案に係る伸縮再生紙箸を示す外観斜視図である。
【図２】本考案に係る伸縮再生紙箸を示す斜視分解図である。
【図３】本考案に係る伸縮再生紙箸を示す断面図（一）である。
【図４】本考案に係る伸縮再生紙箸を示す断面図（二）である。
【図５】本考案の好ましい実施例に係る伸縮再生紙箸を示す概略図（一）である。
【図６】本考案の好ましい実施例に係る伸縮再生紙箸を示す概略図（二）である。
【図７】本考案の好ましい実施例に係る伸縮再生紙箸を示す概略図（三）である。
【考案を実施するための形態】
【００１０】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１１】
まず、図１〜７を参照しながら、本考案をさらに詳しく説明する。本考案に係る伸縮再生紙箸１は、下記の部材を備えている。
【００１２】
２つの上側チューブ２は、収容空間２０を共に有し、上側チューブ２は主に防水層２２により被覆される構造層２１で構成する。
【００１３】
２つの下側チューブ３は２つの上側チューブ２の収容空間２０内に各々設置し、下側チューブ３は主に防水層３２により被覆される構造層３１で構成し、且つ２つの下側チューブ３は中空部３０を共に有する。
【００１４】
また、上側チューブ２は上から下にかけて漸縮する形態を呈する。
【００１５】
また、上側チューブ２の構造層２１は紙材質で製造する。
【００１６】
また、上側チューブ２の収容空間下方の末端には少なくとも１つの凹部２３を形成する。
【００１７】
また、下側チューブ３は上から下にかけて漸縮する形態を呈する。
【００１８】
また、下側チューブ３の構造層は紙材質で製造する。
【００１９】
また、下側チューブ３の上方の末端の外面には少なくとも１つの凸部３３を形成する。
【００２０】
本考案に係る伸縮再生紙箸１は不使用時には、２つの下側チューブ３を２つの上側チューブ２の収容空間２０内にそれぞれ収納する。
使用時には、２つの下側チューブ３を２つの上側チューブ２の収容空間２０内から直接引っ張り出し、２つの下側チューブ３を２つの上側チューブ２から全て露出させる。これにより、使用者は２つの上側チューブ２を握って２つの下側チューブ３を操作可能となり、２つの下側チューブ３により食べ物を挟持できるようになる。
【００２１】
上述したように、上側チューブ２及び下側チューブ３が共に漸縮する形態を呈するため、下側チューブ３を上側チューブ２の収容空間２０内から引っ張り出した後にも、下側チューブ３の上方の末端は上側チューブ２の下方の末端に嵌装されたままとなり、これにより伸縮再生紙箸１の使用状態を維持する。
【００２２】
また、上側チューブ２及び下側チューブ３の漸縮する形態により両者を使用状態に維持するほか、下側チューブ３を上側チューブ２の収容空間２０から引っ張り出した後にも下側チューブ３上方の末端の外面の凸部３３が上側チューブ２下方の末端の凹部２３に係合したままにすることで、凹部２３が凸部３３を圧迫して制限し、伸縮再生紙箸１の使用状態をより強固に維持する。
【００２３】
また、伸縮再生紙箸１を不使用時または携帯する際には、下側チューブ３を上側チューブ２の収容空間２０内に押し込んで戻し、下側チューブ３の凸部３３を上側チューブ２の凹部２３から脱離させることで、全体的な長さが短縮し、携帯や収納に便利になる。
【００２４】
また、上側チューブ２が収容空間２０を有し、且つ下側チューブ３も中空部３０を有し、上側チューブ２の構造層２１及び下側チューブ３の構造層３１を共に紙材質で製造することで、伸縮再生紙箸１全体の重量が軽く薄くなり、これにより携帯及び収納を更に便利にする目的を達成する。
【００２５】
また、上側チューブ２の構造層２１及び下側チューブ３の構造層３１を共に紙材質で製造しているため、食べ物を何度も挟持し、スープに接触した後には、軟化状態となる。このため、上側チューブ２の構造層２１を防水層２２で被覆し、下側チューブ３の構造層３１を防水層３２で被覆することで、チューブ２の構造層２１及び下側チューブ３の構造層３１が軟化する現象を回避し、これにより伸縮再生紙箸１の耐用年数と使用可能時間を大幅に延長する。
【００２６】
以上を総合すると、従来の再生箸には種々の欠点及び不便が存在するのに比べ、本考案に係る伸縮再生紙箸１は、上側チューブ２及び下側チューブ３の伸縮設計により、長さを可変にすることで携帯及び収納を便利にする目的を達成する。
また、上側チューブ２及び下側チューブ３を共に漸縮する形態とし、上側チューブ２の凹部２３及び下側チューブ３の凸部３３を利用することで、使用状態を更に強固に維持可能にする。
【００２７】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２８】
１  伸縮再生紙箸
２  上側チューブ
２０  収容空間
２１  構造層
２２  防水層
２３  凹部
３  下側チューブ
３０  中空部
３１  構造層
３２  防水層
３３  凸部
【図１】
0003227765.tif 000003
【図２】
0003227765.tif 000004
【図３】
0003227765.tif 000005
【図４】
0003227765.tif 000006
【図５】
0003227765.tif 000007
【図６】
0003227765.tif 000008
【図７】
0003227765.tif 000009